(57)【要約】【課題】施工面への取付位置の周辺を明るく照明することができる間接照明器具を提供する。【解決手段】壁面のような施工面Ｗに一対の支持台４を介して器具本体２が支持される。器具本体２における施工面Ｗとの対向面に直管形の蛍光ランプであるランプ１が配置される。器具本体２に対してランプ１とは反対側には板状の配光制御部材３が取り付けられる。【選択図】　　　　図１
2004055304.tif 000002
【特許請求の範囲】
【請求項１】
管形のランプと、ランプを施工面に対向させた形で保持するとともにランプに対して施工面とは反対側に位置する器具本体と、ランプの長手方向における器具本体の両端部と施工面との間に介装され器具本体を施工面から離間する形で支持する支持台とから成ることを特徴とする間接照明器具。
【請求項２】
前記支持台の前記施工面からの突出寸法は、前記ランプと施工面との間の距離が３０〜１００ｍｍになるように設定されていることを特徴とする請求項１記載の間接照明器具。
【請求項３】
前記支持台が金属材料により形成されていることを特徴とする請求項１記載の間接照明器具。
【請求項４】
前記ランプは直管形の放電ランプであることを特徴とする請求項１記載の間接照明器具。
【請求項５】
前記器具本体においてランプと反対側に取り付けられ前記ランプから放射された直接光を遮る板状の配光制御部材と、ランプの長手方向における配光制御部材の両端部の一面側に突設され器具本体の一部に重複する一対の取付片と、器具本体と各取付片との間にそれぞれ介在して器具本体と各取付片との間の距離を各別に調節可能とする一対のスペーサとを具備することを特徴とする請求項１記載の間接照明器具。
【請求項６】
前記取付片は前記器具本体における前記ランプの長手方向に沿った一面に重複する形で前記配光制御部材に突設され、前記器具本体と前記取付片との一方を通して他方に螺合する固定ねじが各スペーサの近傍に配置されるとともに、器具本体と取付片との前記一方において固定ねじが挿通される部位にはランプの長手方向に沿った長孔状のねじ挿通孔が貫設されていることを特徴とする請求項５記載の間接照明器具。
【請求項７】
前記配光制御部材に対して前記ランプの長手方向にスライド可能に結合された取付具を備え、前記取付片が取付具に突設されていることを特徴とする請求項５または請求項６記載の間接照明器具。
【請求項８】
前記配光制御部材は矩形板状であって、複数個の配光制御部材が前記ランプの長手方向における端縁同士を互いに密接させる形で複数個の前記器具本体が前記ランプの長手方向に沿って連設されて成ることを特徴とする請求項５ないし請求項７のいずれか１項に記載の間接照明器具。
【発明の詳細な説明】
【０００１】
【発明の属する技術分野】
本発明は、ランプから放射された直接光を壁面や天井面などに照射し、その反射光を用いて照明空間を照明するようんした間接照明器具に関するものである。
【０００２】
【従来の技術】
従来から提供されているこの種の間接照明器具として、図１１に示すように、壁面のような施工面Ｗにランプ１を保持する器具本体２を固定し、ランプ１からの直接光が照明空間に照射されないようにランプ１と照明空間との間に遮光部材５を配置したものがある。図示する間接照明器具は、ランプ１からの直接光を壁面や天井面に照射し、壁面ないし天井面からの反射光によって照明空間を照明するものである。図１１に示す間接照明器具は、ランプ１として２本の直管形蛍光ランプを用いるものであり、ランプ１の側方および下方を遮光部材５で覆う構成であって、ランプ１からの直接光は主として壁面上方および天井面に照射される構成になっている。つまり、施工面Ｗとランプ１との間に器具本体２が存在するから、施工面Ｗのうち図１１に示す領域Ｄ１にはランプ１からの直接光を照射することができず暗くなるという問題がある。
【０００３】
一方、間接照明器具としては、図１２に示す構成も知られている。この構成では遮光部材５に代えてランプ１からの光を反射する板状の配光制御部材３を用いており、一端部を施工面Ｗに固定した支持台４の他端部に配光制御部材３を取り付けることにより、配光制御部材３を施工面Ｗに対向する形で配置してある。すなわち、ランプ１を挟んで器具本体２と配光制御部材３とが互いに反対側に配置されている。この構成では、配光制御部材３によってランプ１からの光を施工面Ｗに反射するから、器具本体１の近傍部材に光を照射することが可能になる。
【０００４】
【発明が解決しようとする課題】
しかしながら、図１２に示した構成であっても図１１に示した構成と同様に、ランプ１から施工面Ｗへの直接光は器具本体２よって遮られるから、図１２における領域Ｄ２にはランプ１からの直接光を照射することはできない。したがって、領域Ｄ２に照射される光量を増加させて領域Ｄ２を明るくするには配光制御部材３の面積を大きくすることが要求され、結果的に大型化するという問題が生じる。
【０００５】
ところで、図１２に示す構成の間接照明器具は、図１３のように複数個を連設して使用する場合がある。配光制御部材３は器具本体１に対してランプ１の長手方向においてスライド可能に取り付けられ、図１３のように複数個の間接照明器具を連設したときに、配光制御部材３の位置を調節することによって隣接する配光制御部材３の間に隙間が生じるのを防止できるようにしてある。
【０００６】
ただし、配光制御部材３は器具本体２に対してランプ１の長手方向にしか位置調節ができないものであるから、器具本体２を施工面Ｗに取り付ける際に器具本体２の取付位置にずれがあると、配光制御部材３を整列させることができないという問題が生じる。たとえば、隣接する器具本体２の長手方向に沿った中心線がずれていると、図１４（ａ）のように隣接する配光制御部材３の間に段差が生じて見映えが悪くなり、また隣接する器具本体２の長手方向に沿った中心線が互いに傾斜していると、図１４（ｂ）のように隣接する配光制御部材３の間に隙間が生じランプ１からの直接光が漏れるという問題が生じる。
【０００７】
本発明は上記事由に鑑みて為されたものであり、その主な目的は、施工面への取付位置の周辺を明るく照明することができる間接照明器具を提供することであり、他の目的は複数個を連設した場合に取付誤差があっても配光制御部材を見映えよく整列させることが可能な間接照明器具を提供することにある。
【０００８】
【課題を解決するための手段】
請求項１の発明は、管形のランプと、ランプを施工面に対向させた形で保持するとともにランプに対して施工面とは反対側に位置する器具本体と、ランプの長手方向における器具本体の両端部と施工面との間に介装され器具本体を施工面から離間する形で支持する支持台とから成ることを特徴とする。
【０００９】
請求項２の発明は、請求項１の発明において、前記支持台の前記施工面からの突出寸法は、前記ランプと施工面との間の距離が３０〜１００ｍｍになるように設定されていることを特徴とする。
【００１０】
請求項３の発明は、請求項１の発明において、前記支持台が金属材料により形成されていることを特徴とする。
【００１１】
請求項４の発明は、請求項１の発明において、前記ランプは直管形の放電ランプであることを特徴とする。
【００１２】
請求項５の発明は、請求項１の発明において、前記器具本体においてランプと反対側に取り付けられ前記ランプから放射された直接光を遮る板状の配光制御部材と、ランプの長手方向における配光制御部材の両端部の一面側に突設され器具本体の一部に重複する一対の取付片と、器具本体と各取付片との間にそれぞれ介在して器具本体と各取付片との間の距離を各別に調節可能とする一対のスペーサとを具備することを特徴とする。
【００１３】
請求項６の発明は、請求項５の発明において、前記取付片は前記器具本体における前記ランプの長手方向に沿った一面に重複する形で前記配光制御部材に突設され、前記器具本体と前記取付片との一方を通して他方に螺合する固定ねじが各スペーサの近傍に配置されるとともに、器具本体と取付片との前記一方において固定ねじが挿通される部位にはランプの長手方向に沿った長孔状のねじ挿通孔が貫設されていることを特徴とする。
【００１４】
請求項７の発明は、請求項５または請求項６の発明において、前記配光制御部材に対して前記ランプの長手方向にスライド可能に結合された取付具を備え、前記取付片が取付具に突設されていることを特徴とする。
【００１５】
請求項８の発明は、請求項５ないし請求項７のいずれか１項の発明において、前記配光制御部材は矩形板状であって、複数個の配光制御部材が前記ランプの長手方向における端縁同士を互いに密接させる形で複数個の前記器具本体が前記ランプの長手方向に沿って連設されて成ることを特徴とする。
【００１６】
なお、請求項１における管形のランプとは、請求項４として示した直管形の放電ランプだけではなく、並設した複数本の直管により１つの放電路を形成した、いわゆるコンパクト形蛍光ランプなど、全体として直線状に形成されたランプであれば構成はとくに問わない。また、請求項５におけるスペーサの形状は以下に説明する実施形態の形状に限定されるものではなく、器具本体と取付片との間の距離を調節可能とする形状であれば、たとえば器具本体に立設したねじに２個のナットを螺合させ、両ナット間に取付片を挟持する形式なども採用することが可能である。
【００１７】
【発明の実施の形態】
本実施形態に示す間接照明器具は、図１に示すように、ランプ１として直管形の蛍光ランプ（放電ランプ）を用いるものであって、金属板により形成した器具本体２に保持される。すなわち、器具本体２は後述する施工面Ｗに対向する細長矩形状の主片２１を有し、主片２１の上下両端縁には施工面Ｗから離れる向きに上片２２および下片２３がそれぞれ延設される。さらに、上片２２および下片２３の先端縁には互いに近付く向きにリップ片２４，２５が延設され、器具本体２は全体として断面Ｃ字状に形成されている。主片２１と上片２２と下片２３とに囲まれた空間には電子式安定器などの点灯装置が収納される。主片２１の長手方向の両端部にはそれぞれソケット２６が取り付けられ、両ソケット２６によってランプ１が保持されるとともに点灯装置に電気的に接続される。なお、本実施形態では施工面Ｗを壁面と想定する。
【００１８】
器具本体２の両端部にはそれぞれ支持台４の一端部が結合され、支持台４の他端部は施工面Ｗに固定される。支持台４は器具本体２などの重量に耐えるように金属板により角柱状に形成され、支持台４の軸方向における一端部の側壁には、支持台４に器具本体２を結合したときに器具本体２の長手方向の両端面に連通するコ字状の切欠窓４１が形成されている。切欠窓４１の開口縁のうち施工面Ｗに沿う部位には一対の舌片４２が突設され、器具本体２における主片２１の長手方向の端部を舌片４２に重ね合わせるとともに、器具本体２を通して２本の本体固定ねじ４３を各舌片４２に螺合させることによって、器具本体２が支持台４に結合される。なお、図示例では左側の支持台４に対する本体固定ねじ４３のみを示しているが、右側の支持台４に対しても本体固定ねじ４３を設けるのは言うまでもない。また、支持台４の他端部の開口内には図示しない２個の取付片が設けられ、各取付片を通してそれぞれ取付ねじ４４を施工面Ｗに螺入することによって支持台４が施工面Ｗに固定される。上述のように器具本体２の長手方向の両端面と支持台４の切欠窓４１とは連通しているから、施工面Ｗから引き出され器具本体２に設けた点灯装置に接続される電源線Ｌｐを支持台４の内部に通し、さらに切欠窓４１から器具本体２において点灯装置を収納した空間に導くことができる。
【００１９】
ところで、器具本体２は主片２１が施工面Ｗに対向するとともにランプ１を施工面Ｗから離間させた形で配置される。ここに、器具本体２を施工面Ｗに対して固定した状態でランプ１の交換を可能とするために、施工面Ｗとランプ１との間隔は３０ｍｍ以上に設定される。また、ランプ１から放射された直接光による施工面Ｗの明るさを維持しながら直接光の照射範囲に広がりを持たせるために、施工面Ｗとランプ１との間隔は１００ｍｍ以下に設定される。要するに、施工面Ｗとランプ１との間隔が３０〜１００ｍｍの範囲になるように、施工面Ｗに対する支持台４の突出寸法が設定される。
【００２０】
器具本体２には配光制御部材３が取り付けられる。本実施形態では配光制御部材３として金属により矩形板状に形成した遮光板を用いており、配光制御部材３は器具本体２に対して施工面Ｗと反対側において施工面Ｗに対向する形で配置される。配光制御部材３は、図２に示すように、左右方向に長い矩形状の主板３１を有し、主板３１の上下両端部は主板３１の厚み方向の一面側に断面コ字状となるように折り返された形状に形成されている。つまり、主板３１の上下両端部には主板３１の厚み方向の一面側において上下に対向するスライド溝３２がそれぞれ形成される。
【００２１】
スライド溝３２には取付具３３の上下両端部が装着される。取付具３３は矩形板状のスライド板３４を有し、スライド板３４の上下両端部がスライド溝３２に嵌入され、したがって配光制御部材３と取付具３３とは配光制御部材３の長手方向において相対的にスライド可能になる。スライド板３４の下部にはスライド板３４を貫通する止めねじ３５が螺合しており、止めねじ３５を締め付け配光制御部材３の主板３１を止めねじ３５の先端部で押圧することによって、取付具３３に対する配光制御部材３のスライドを禁止することが可能になる。ここにおいて、スライド板３４において止めねじ３５を螺入させる部位には、図４に示すように、スライド板３４に対して斜めに突出するねじ受け片３５ａを設けておくのが望ましい。スライド板３４の厚み方向の一面には、器具本体２の上片２２の上に重なる取付片３６と、器具本体２の下片２３の先端縁に設けたリップ片２５に噛み合う断面逆Ｌ字状の係止片３７とが突設される。取付片３６および係止片３７はスライド板３４の一部を切り起こした形で形成されている。係止片３７は器具本体２の下端部のがたつきを防止するために設けられており、図４に示すように、スライド板３４と係止片３７との間にリップ片２５が隙間なく挿入されるように寸法が設定されている。取付具３３は器具本体２の長手方向の両端部に対応する部位、言い換えると配光制御部材３の長手方向の両端部に対応する部位に設けられる。
【００２２】
取付片３６には、取付具３３に対する配光制御部材３のスライド方向において取付片３６を貫通するねじ挿通孔３６ａおよび調節孔３６ｂが並設される。ねじ挿通孔３６ａおよび調節孔３６ｂは、いずれも取付具３３に対する配光制御部材３のスライド方向において長い長孔状に形成される。ねじ挿通孔３６ａには器具本体２の上片２２に螺合する固定ねじ３８が挿通される。つまり、ねじ挿通孔３６ａの長さ範囲において、取付具３３は器具本体２に対して相対的に移動可能になる。また、器具本体２の上片２２において調節孔３６ｂに対応する部位には、鍔頭ねじあるいは座付きねじと称するねじを用いたスペーサ３９が螺合しており、図３のように、取付片３６を器具本体２の上片２２に重ね、ねじ挿通孔３６ａに挿通した固定ねじ３８を器具本体２の上片２２に螺合させたときにスペーサ３９の頭部に設けた鍔部が調節孔３６ｂの周部に当接するように、鍔部の直径に対して調節孔３６ｂの幅寸法は小さく設定されている。つまり、器具本体２に対するスペーサ３９の螺合量に応じて器具本体２の上片２２と取付片３６との距離が調節可能になっている。その結果、器具本体２に対するスペーサ３９の螺合量を調節することにより、器具本体２に対して取付具３３の上下方向の相対位置が調節可能になる。器具本体２に対する取付具３３の上下方向の相対位置を実際に調節する際には、固定ねじ３８を緩めておき、スペーサ３９の器具本体２に対する螺合量を調節した後に、固定ねじ３８を締め付けることになる。ここに、上述したリップ片２５と係止片３７とは、器具本体２に対して取付具３３が上下に移動可能となるように相対位置が設定されている。
【００２３】
上述したように、固定ねじ３８はねじ挿通孔３６ａの長さ範囲内で移動するから、スペーサ３９も取付片３６に対して相対的に移動するのであって、固定ねじ３８がねじ挿通孔３６ａの長さ範囲のどこに位置していてもスペーサ３９が調節孔３６ｂの範囲内に位置するように、調節孔３６ｂの長さ寸法はねじ挿通孔３６ａの長さ寸法と同程度に設定される。したがって、器具本体２に対する取付具３３の可動範囲のどの位置であっても、調節孔３６ｂにドライバのような工具を挿入してスペーサ３９の器具本体２に対する螺合量を調節することが可能になる。
【００２４】
以上説明したように、器具本体２と施工面Ｗとの間にランプ１が配置されているから、図５に示すように、ランプ１からの直接光を施工面Ｗに照射することができ（図５における矢印は光の放射を示す）、施工面Ｗにおいて配光制御部材３に対向する部位付近では従来構成に比較すると光量が増加して明るくなる。しかも、上述のようにランプ１と施工面Ｗとの距離は３０〜１００ｍｍであって、ランプ１の交換に必要な距離は保ちながらも施工面Ｗからの突出寸法を比較的小さくし、さらにはランプ１から施工面Ｗに対して十分な広がりをもって光を照射することができ、施工面Ｗを比較的広い範囲で明るくすることができる。また、配光制御部材３は照明空間からランプ１が直視されない大きさがあればよく、施工面Ｗへの配光にはほとんど寄与しないから、配光制御部材３の面積は小さくすることができ、結果的に全体としての小型化が可能になる。
【００２５】
さらに、上述のように、取付具３３は器具本体２に対して固定ねじ３８によって結合され、取付具３３は固定ねじ３８に対して長孔状のねじ挿通孔３６ａの範囲で移動可能であるから、取付具３３に取り付けられる配光制御部材３は器具本体２に対してねじ挿通孔３６ａの長さ範囲において器具本体２の長手方向に移動可能になる。しかも、取付具３３に対して配光制御部材３がスライド自在に取り付けられているから、このことによっても配光制御部材３は器具本体２に対して器具本体２の長手方向に移動可能になる。さらに、器具本体２の長手方向の両端部において取付具３３の取付片３６と器具本体２の上片２２との距離をスペーサ３９により各別に調節することができるから、器具本体２に対する配光制御部材３の上下方向の相対位置をスペーサ３９の長さ調節範囲で調節可能であり、かつ両スペーサ３９の長さ寸法（器具本体２に対する螺合量）を調節することによって器具本体２の長手方向に沿った中心線に対する配光制御部材３の長手方向に沿った中心線の傾き角度を調節することが可能になる。
【００２６】
ところで、上述の構成例では施工面Ｗに対して１個の器具本体２を単独で使用する例を示したが、本実施形態は、図６のように、複数個の器具本体２を器具本体２の長手方向に並べることによって、一連の長尺の間接照明器具として使用することも可能である。このような構成を採用する場合には、両端の器具本体２については、上述した支持台４を用いて支持するが、隣接する器具本体２の連結部では異なる形状の支持台４ａを用いる。すなわち、支持台４は器具本体２を支持しかつ電源線Ｌｐを通すために断面正方形状である角筒状に形成されているのに対して、支持台４ａは電源線Ｌｐを通す必要がないから、器具本体２の長手方向における幅寸法の小さい角筒状に形成されている。つまり、支持台４ａは器具本体２の長手方向の端面を近接させた形で結合する。さらに、支持台４ａには器具本体２の長手方向の端部を下から支持する受け片４ｂが延設される。なお、図６においては３個の器具本体２を連設した例を示しているが、器具本体２を連設する際の個数についてはとくに制限はない。
【００２７】
図６のように、器具本体２を連設した場合に、隣接する配光制御部材３の間に隙間が生じたり、配光制御部材３が一直線上に並んでいなければ見映えが悪くなる。本実施形態の構成では、図７（ａ）のように隣合う器具本体２の長手方向に沿った中心線が一直線上に位置している場合には、器具本体２に対する配光制御部材３の長手方向の位置調節によって隣り合う配光制御部材３を隙間なく連設することが可能になる。ただし、一対の配光制御部材３を密接させることができたとしても配光制御部材３の端縁間に微小な隙間が形成される可能性があり、この部位から光が漏れる可能性があるから、隣接する一対の配光制御部材３の端部間に跨るように、平板状の連結部材６（図６参照）を設けておくのが望ましい。連結部材６を配光制御部材３に取り付けるには、連結部材６の上下両端部をそれぞれスライド溝３２に嵌合させればよい。
【００２８】
また、器具本体２の施工状態によっては、図７（ｂ）のように、隣合う器具本体２の長手方向に沿った中心線は平行になるものの、器具本体２の位置が上下にずれることがある。このような場合にはスペーサ３９の調節によって器具本体２に対する配光制御部材３の上下位置を調節することで、配光制御部材３の長手方向に沿った中心線を一直線上に配置することが可能になり、外観を損なわずに配光制御部材３を配列することが可能になる。なお、図７（ｂ）は上下の位置ずれを強調するように記載しているが、実際には隣合う器具本体２は支持台４ａに連結されて上下位置がある程度規制されるから、上下の位置ずれの程度は比較的小さく、スペーサ３９をわずかに調節する程度で配光制御部材３の上下の位置ずれを解消することができる。
【００２９】
さらに、器具本体２の施工状態によっては、図７（ｃ）のように、隣合う器具本体２の長手方向に沿った中心線が互いに傾斜する場合もある。このような場合には各器具本体２に対応する各一対のスペーサ３９を調節することによって、器具本体２の長手方向に沿った中心線に対して、配光制御部材３の長手方向に沿った中心線の傾き角度を調節することが可能であり、結果的に隣合う配光制御部材３について長手方向に沿った中心線が一致するように配置することが可能になる。
【００３０】
また、図８（ａ）に示すように、配光制御部材３の端部が壁面などの障害物Ｘに重複するおそれがあるときには、固定ねじ３８を緩めてねじ挿通孔３６ａの範囲で配光制御部材３を器具本体２に対して移動させるか、あるいは取付具３３に対して配光制御部材３を移動させれば、図８（ｂ）のように、障害物Ｘを避けて配光制御部材３を配置することが可能になる。
【００３１】
なお、上述した構成例ではランプ１から放射された光が施工面Ｗに対して均等に照射されているが、施工面Ｗに照射する配光を制御する場合には、図９に示すように、器具本体２の主片２１に反射板７を取り付ければよい。本実施形態の構成では施工面Ｗとランプ１との距離とは無関係に反射板７とランプ１との距離を規定することができ、しかもランプ１に近接して反射板７を設けることができるから、小面積の反射板７によって多数の光束を制御することができ、小型の反射板７で効率よく反射光の配光を制御することができる。また、反射板７にはランプ１からの光以外の不要光がほとんど入射しないから、反射光の配光を精度よく制御することができる。さらに、上述の構成例では器具本体２に１灯のランプ１を設ける例を示したが、図１０に示すように、２灯のランプ１を１つの器具本体２に設けてもよく、さらに多数本のランプ１を器具本体２に設けてもよい。
【００３２】
【発明の効果】
請求項１の発明は、管形のランプと、ランプを施工面に対向させた形で保持するとともにランプに対して施工面とは反対側に位置する器具本体と、ランプの長手方向における器具本体の両端部と施工面との間に介装され器具本体を施工面から離間する形で支持する支持台とにより構成されたものであり、器具本体と施工面との間にランプが設けられ、ランプからの直接光が施工面に照射されるから、従来構成のようにランプと施工面との間に器具本体等の障害物が存在していた従来構成に比較すると、施工面に対する取付部材の近傍部位の明るさを向上させることができるという利点がある。また、ランプからの直接光を施工面に照射するから、配光の制御は補助的に行えばよく、大型の配光制御部材が不要であるから全体として小型化が可能になる。
【００３３】
請求項２の発明は、請求項１の発明において、前記支持台の前記施工面からの突出寸法は、前記ランプと施工面との間の距離が３０〜１００ｍｍになるように設定されているので、ランプの交換が可能な程度の隙間を確保しながらも、施工面に対するランプからの直接光の照射範囲を比較的広くとることができる。
【００３４】
請求項３の発明は、請求項１の発明において、前記支持台が金属材料により形成されているので、ランプを保持した器具本体と配光制御部材とを支持可能な程度の強度を確保することができる。
【００３５】
請求項４の発明は、請求項１の発明において、前記ランプは直管形の放電ランプであるから、放電ランプの長手方向に複数台を配列することで長尺の照明器具を得ることが可能になる。
【００３６】
請求項５の発明は、請求項１の発明において、前記器具本体においてランプと反対側に取り付けられ前記ランプから放射された直接光を遮る板状の配光制御部材と、ランプの長手方向における配光制御部材の両端部の一面側に突設され器具本体の一部に重複する一対の取付片と、器具本体と各取付片との間にそれぞれ介在して器具本体と各取付片との間の距離を各別に調節可能とする一対のスペーサとを具備するものであり、器具本体と取付片との距離が調節可能な方向において、配光制御部材の器具本体に対する位置を調節することができるとともに、器具本体と各取付片との距離を異ならせることによって、器具本体に対する配光制御部材の傾き角度も調節可能になる。
【００３７】
請求項６の発明は、請求項５の発明において、前記取付片は前記器具本体における前記ランプの長手方向に沿った一面に重複する形で前記配光制御部材に突設され、前記器具本体と前記取付片との一方を通して他方に螺合する固定ねじが各スペーサの近傍に配置されるとともに、器具本体と取付片との前記一方において固定ねじが挿通される部位にはランプの長手方向に沿った長孔状のねじ挿通孔が貫設されているものであり、ねじ挿通孔の長さ範囲内において器具本体に対する配光制御部材の位置調節が可能であり、たとえば施工面の近傍において配光制御部材に対する障害物があったとしても配光制御部材の位置をランプの長手方向において移動させることで、障害物を避けて配光制御部材を配置することが可能になる。
【００３８】
請求項７の発明は、請求項５または請求項６の発明において、前記配光制御部材に対して前記ランプの長手方向にスライド可能に結合された取付具を備え、前記取付片が取付具に突設されているものであり、取付具に対して配光制御部材がスライド可能である範囲において、器具本体と配光制御部材との相対位置を調節することができる。
【００３９】
請求項８の発明は、請求項５ないし請求項７のいずれか１項の発明において、前記配光制御部材は矩形板状であって、複数個の配光制御部材が前記ランプの長手方向における端縁同士を互いに密接させる形で複数個の前記器具本体が前記ランプの長手方向に沿って連設されているものであり、器具本体を連設したときに施工面に対する器具本体の取付位置にずれが生じても、配光制御部材の器具本体に対する位置調節が可能であることによって、配光制御部材を整列させることが可能であり、結果的に見映えよく施工することが可能になる。
【図面の簡単な説明】
【図１】本発明の実施形態を示す分解斜視図である。
【図２】同上の要部分解斜視図である。
【図３】同上の要部斜視図である。
【図４】同上の断面図である。
【図５】同上の動作説明図である。
【図６】同上の他の使用例を示す分解斜視図である。
【図７】同上の動作説明図である。
【図８】同上の動作説明図である。
【図９】同上の他の構成例を示す断面図である。
【図１０】同上のさらに他の構成例を示す断面図である。
【図１１】従来例を示す断面図である。
【図１２】他の従来例を示す断面図である。
【図１３】同上の概略斜視図である。
【図１４】同上の問題点を示す図である。
【符号の説明】
１　ランプ
２　器具本体
３　配光制御部材
４　支持台
３３　取付具
３６　取付片
３６ａ　ねじ挿通孔
３８　固定ねじ
３９　スペーサ
Ｗ　施工面
【図１】
2004055304.tif 000003
【図２】
2004055304.tif 000004
【図３】
2004055304.tif 000005
【図４】
2004055304.tif 000006
【図５】
2004055304.tif 000007
【図６】
2004055304.tif 000008
【図７】
2004055304.tif 000009
【図８】
2004055304.tif 000010
【図９】
2004055304.tif 000011
【図１０】
2004055304.tif 000012
【図１１】
2004055304.tif 000013
【図１２】
2004055304.tif 000014
【図１３】
2004055304.tif 000015
【図１４】
2004055304.tif 000016